(57)【要約】  【課題】扉の化粧面となる面板に開口部を設けてメール投函口などの機能部を簡単、適切に構成できるようにする。  【解決手段】開口部３２を有する面板３に裏面部材４を取り付けてメール投函口Ｓを構成するにあたり、面板３に、開口部３２の開口縁付近より裏面側に突出する突起部３４を設けるとともに、裏面部材４における突起部３４の対応部位に被係り合い部であるスリット４５を設け、これら突起部３４とスリット４５とを係り合わせることによって、裏面部材４を面板３の開口部３２の裏面側における所定位置に取り付けるようにした。  【選択図】図３
2010046264.tif 000002
【特許請求の範囲】
【請求項１】
開口部を有する面板と、前記開口部と協働してメール投函口や開閉操作部などの機能部を構成するための裏面部材とを具備するものであって、前記面板に、前記開口部の開口縁付近より裏面側に突出する突起部を設けるとともに、前記裏面部材に、前記突起部に関連づけて被係り合い部を設け、これら突起部と被係り合い部とを係り合わせることによって、前記裏面部材を前記面板の開口部の裏面側における所定位置に取り付けてなることを特徴とする開閉装置の蓋体。
【請求項２】
突起部を、少なくとも面板の一部を開口部の内縁から裏面側に折り曲げることによって形成している請求項１記載の開閉装置の蓋体。
【請求項３】
開口部の内縁に裏面側への折り曲げ片をほぼ周回状に形成し、その折り曲げ片の一部に前記突起部を更に裏面側に突出させて設けている請求項２記載の開閉装置の蓋体。
【請求項４】
裏面部材に、前記折り曲げ片を受容する溝と、その溝底にあって前記突起部を差し込んで係り合わせるための被係り合い部たるスリットとを設けている請求項３記載の開閉装置の蓋体。
【請求項５】
突起部又は被係り合い部の何れか一方に変形可能部を有し、この変形可能部の変形を利用して、前記突起部と前記被係り合い部との間に、面板からの裏面部材の抜脱を規制する規制部を構成している請求項４記載の開閉装置の蓋体。
【請求項６】
裏面部材は、内周壁を備えた枠体状をなすものであり、面板への取付状態でその内周壁を前記開口部の内奥に連続する位置に位置づけている請求項２〜５何れかに記載の開閉装置の蓋体。
【請求項７】
裏面部材に、機能部の機能を妨げない状態で突起部及び係り合い部を被覆するカバー部材を更に取り付けている請求項１〜６何れかに記載の開閉装置の蓋体。
【請求項８】
請求項１〜７何れかに記載された開閉装置の蓋体を収納空間を開閉する位置に取り付けてなること特徴とする収納家具。
【発明の詳細な説明】
【技術分野】
【０００１】
本発明は、開口部周辺に裏面部材を簡単に取り付けてメール投函口等の機能部を構成できるようにした開閉装置の蓋体及びこれを取り付けてなる収納家具に関するものである。
【背景技術】
【０００２】
近時の収納家具の傾向として、例えば特許文献１等に示されるように、扉開閉装置や引出装置等の開閉装置を構成する鏡板等の蓋体の化粧面にメール投函口や開閉操作部等を設けているものが少なくない。このようなメール投函口や開閉操作部等を構成する場合、同公報には詳述されていないが、蓋体の鏡板を構成する板金を打ち抜いて開口部を設け、その開口部の切り口に面取り加工を施したり、その前後から表側部材と裏側部材を切り口を塞ぐように嵌め合わせるなどの手法を採用するのが一般的である。
【０００３】
また、最近の収納家具は、扉や引出の鏡板の表面に突出部を無くしてフラットな仕様にする傾向にあり、その場合には、扉や引出の鏡板を構成する板金に引手やメール投入口を形成するための穴を開け、裏面側より開閉操作部やメール投函口を構成するための裏面部材を取り付けることになる。これらの裏面部材は樹脂成形品であることが多く、施錠等の機構部を設ける場合等もあって、裏面部材はある程度厚みのある部材となるため、取付ビス等で面板に取り付け、更にカバー部材で覆って裏面側の見え掛かりを良好に保つようにするのが常套手段である。
【特許文献１】特開平１１−１３７３４８号公報
【発明の開示】
【発明が解決しようとする課題】
【０００４】
ところが、裏面部材を取付ビス等で面板に取り付け、更にカバー部材で覆うためには、取付ビス等のねじ込みしろや、カバー部材の取付しろを面板側に確保する必要がある。そして、そのために、面板の裏面に先に取付フランジ等を取り付けることが不可欠である。このため、組立工数や部品点数が増加し、さらに取付フランジを溶接等により面板に取り付けると、溶接痕が面板の丹精な外観に悪影響を及ぼすおそれもある。このような不具合は開閉装置の蓋体が引出の鏡板などであっても同様である。
【０００５】
本発明は、このような課題に着目してなされたものであって、化粧面となる面板に開口部を設けてメール投函口などの機能部を構成するにあたり、当該メール投函口を構成する裏面部材を面板に、外観を損ねずに簡単、確実に取り付け可能とした開閉装置の蓋体を実現することを目的としている。
【課題を解決するための手段】
【０００６】
本発明は、かかる目的を達成するために、次のような手段を講じたものである。
【０００７】
すなわち、本発明に係る開閉装置の蓋体は、開口部を有する面板と、前記開口部と協働してメール投函口や開閉操作部などの機能部を構成するための裏面部材とを具備するものであって、前記面板に、前記開口部の開口縁付近より裏面側に突出する突起部を設けるとともに、前記裏面部材に、前記突起部に関連づけて被係り合い部を設け、これら突起部と被係り合い部とを係り合わせることによって、前記裏面部材を前記面板の開口部の裏面側における所定位置に取り付けてなることを特徴とする。
【０００８】
このように構成すれば、面板の裏面側のみにおいて、裏面部材を面板にフランジ等を介在させずに取り付けることができる。このため、面板の丹精な外観を保ち、かつ組立工数や部品点数の削減を図りつつ、所要の機能部を有効に構成することが可能となる。
【０００９】
組立工数や部品点数の更なる削減を図るためには、突起部が、少なくとも面板の一部を開口部の内縁から裏面側に折り曲げることによって形成されていることが望ましい。
【００１０】
開口縁を打ち抜く際の処理を突起部と併せて合理化するためには、開口部の内縁に裏面側への折り曲げ片をほぼ周回状に形成し、その折り曲げ片の一部に前記突起部を更に裏面側に突出させて設けていることが好ましい。
【００１１】
面板に裏面部材を外観良好にして確実な密着状態、位置決め状態の下に取り付け可能とするためには、裏面部材に、前記折り曲げ片を受容する溝と、その溝底にあって前記突起部を差し込んで係り合わせるための被係り合い部たるスリットとを設けていることが好適である。
【００１２】
面板からの裏面部材の離脱を、工数および部品点数を増大させることなく規制するためには、突起部又は被係り合い部の何れか一方に変形可能部を有し、この変形可能部の変形を利用して、前記突起部と前記被係り合い部との間に、面板からの裏面部材の抜脱を規制する規制部を構成していることが望ましい。
【００１３】
面板の開口部周辺を裏面部材によって見栄えや使い勝手が良好な状態で補完するためには、裏面部材が、内周壁を備えた枠体状をなし、面板への取付状態でその内周壁を前記開口部の内奥に連続する位置に位置づけていることが望ましい。
【００１４】
扉等の開成時における見栄えを簡単、確実に向上させるためには、裏面部材に、機能部の機能を妨げない状態で突起部及び係り合い部を被覆するカバー部材を更に取り付けていることが効果的である。
【００１５】
本発明に係る開閉装置の蓋体は、以上説明した構成であるから、これを収納空間を開閉する位置に取り付けて収納家具を構成することにより、当該収納家具の品質を損なうことなく、製造に係る工数やコストの削減が見込めるものとなる。
【発明の効果】
【００１６】
本発明は、以上説明した構成であるから、化粧面を構成する面板に開口部を設け、この開口部の裏面に裏面部材を取り付けてメール投函口などの機能部を構成するに際して、裏面部材を面板に、外観を損ねずに簡単、確実に取り付けて開閉装置の蓋体を構成することができ、これにより開閉装置の蓋体、更にはこれを取り付けてなる収納家具を良好な品質の下に低コスト、短納期で提供できる効果が期待できるものとなる。
【発明を実施するための最良の形態】
【００１７】
以下、本発明の一実施形態を、図面を参照して説明する。
【００１８】
図１は、本実施形態に係る開閉装置の蓋体として扉開閉装置の扉２を、これを収納家具Ａに適用した状態で示している。この収納家具Ａは、メール投函機能および施錠機能を備え、自席を限定しないフリーアドレス制のオフィス等に適用されて、個々のファイルや書類等を管理したり、各人宛のメールの受け渡しを行うロッカー等として利用可能なものである。
【００１９】
収納家具Ａは、５面が板金製の壁材によって閉止され前面１ａ側が開放された家具本体１と、この家具本体１の前面１ａを開閉する位置に取り付けた板金製の扉２とを具備している。
【００２０】
扉２は、図２に示す薄板状の面板３の裏面に、図３〜図５に示すように裏面部材４およびカバー部材５を取り付けることによって構成されている。
【００２１】
面板３は、図３に示すように、鏡板となる盤面部分を主体とし、その四辺に折り曲げ部３１を備えたもので、上縁近傍にメール投函に適した横長矩形状の開口部３２を打ち抜いて形成し、開口部３２の内縁に図３および図８に示すように裏面側への折り曲げ片３３をほぼ周回状に形成している。また、この折り曲げ片３３の一部、具体的には開口部３２の長辺に沿った間欠位置に、折り曲げ部３３から更に裏面側に突出する突起部３４が一体的に設けてある。この突起部３４は、図３（ｂ）に示すように、首部３４ａの先端にフック爪状の拡開部３４ｂを有したもので、首部３４ａから拡開部３４ｂにわたる部位を指で摘んでねじることにより図１０（ｂ）に矢印で示すように塑性変形させることが可能となっており、これら首部３４ａから拡開部３４ｂにわたる部位を本発明の変形可能部としている。
【００２２】
裏面部材４は、図３に示すように、樹脂成形によって構成されたもので、前記開口部３２の長辺に沿った横枠４１および短辺に沿った縦枠４２を有する枠体状をなし、その内周側に前記開口部３２に対応する開口窓４３が形成してある。図３、図６及び図１０に示すように、縦枠４２および横枠４１の前面にはトラック状に周回する溝４４が設けてあり、溝底には、前記突起部３４の対応位置に本発明の被係り合い部であるスリット４５が形成してある。このスリット４５は裏面側に貫通している。
【００２３】
そして、図３→図４、図８→図９のように、この裏面部材４の前面４ａを面板３の裏面３ｂに、前者の溝４４に後者の折り曲げ片３３を受容するようにして当てがうとともに、突起部３４をスリット４５に貫通させて両者間に係り合い部Ｚを構成し、更にその貫通位置で突起部３４の先端を図１０（ａ）→（ｂ）に示すようにねじることによって、スリット４５の延びる方向と異なる方向に突起部３４を塑性変形させるようにしている。すなわち、この変形した突起部３４とスリット４５との間に、突起部３４のスリット４５への逆戻りを阻止して面板３から裏面部材４が抜脱することを規制する本発明の規制部Ｂが構成されるようにしている。
【００２４】
このように裏面部材４を面板３に取り付ける段階で、図３に示す裏面部材４の横枠４１の内周壁４１ａは、図８→図９に示すように前記面板３の開口部３２の上縁及び下縁に連続する位置に位置づけられ、また、図３に示す縦枠４２の内周壁４２ａも同様に前記面板３の開口部３２の側縁に連続する位置に位置づけられるように設定している。そして、これらの内周壁４１ａ、４２ａにより、扉２を正面側から見た図２の状態で、開口部３２の内奥に面板３の見掛け上の厚みを構成している。長辺側の内周壁４１ａは、図９に示すように、奥行き方向に開口窓４３を漸次狭くするようなテーパ状に傾斜している。
【００２５】
これら開口部３２および開口窓４３によって、収納家具の機能部の一つとして、図１に想像線で示すように開口部３２から投函されるメールＭを家具本体１の内部に誘導するメール投函口Ｓを構成している。家具本体１にはまた、前記開口窓４３に対応する位置に必要に応じてメールを集積するためのトレー等のメール受け部６が内設される。開口部３２が設けられた面板３の位置からメール受け部６の位置までは、少なくとも面板３の折り曲げ部３１の折り曲げ寸法ｄに相当する離間距離があるが、かかる開口窓３２の内壁部４１ａ、４２ａを開口部３２から裏面側に突出させておけば、開口部３２からメール受け部６までの間隙を補ってメールＭをメール受け部６に誘導するガイドとして機能させることができる。
【００２６】
カバー部材５は、図４、図５および図７に示すように、前記裏面部材４を包み込む大きさの周壁５０と、この周壁５０の背後に位置する背壁５１とを備え、その背壁５１に前記開口窓４３の奥端部に連続する開口５２を形成したものである。このカバー部材５には、適宜箇所にリブ５３や爪５４が設けられ、このリブ５３や爪５４の適宜部位に圧接させながら樹脂の弾性を利用して前記裏面部材４の横枠４１等を緊密に嵌め込み、裏面部材４に取り付いた状態を維持するようになっている。このカバー部材５を図４→図５、図９→図１１に示すように裏面部材４に取り付けることによって、突起部３４とスリット４５との係り合い部Ｚを始め、裏面部材４全体がほぼ隠蔽された状態となる。
【００２７】
なお、この実施形態では、図１及び図２に示す扉２を構成する面板３の反吊元側の縁部近傍にも開口部１３２が設けられ、この開口部１３２に、施錠機構１０４ａ等を備えた他の裏面部材１０４を装着して機能部である開閉機構部を構成するようにしている。自席を限定しないオフィスにおいて、書類やメールの守秘性を確保するためである。そして、この開口部１３２周辺への裏面部材１０４の取り付けにも、上記と同様の取付構造を適宜採用することができる。
【００２８】
以上のように、本実施形態の扉２は、開口部３２を有する面板３と、前記開口部３２と協働して機能部であるメール投函口Ｓを構成するための裏面部材４とを具備するものである。そして、前記面板３に、前記開口部３２の開口縁付近より裏面側に突出する突起部３４を設けるとともに、前記裏面部材４における前記突起部３４の対応部位に被係り合い部であるスリット４５を設け、これら突起部３４とスリット４５とを係り合わせることによって、前記裏面部材４を前記面板３の開口部３２の裏面側における所定位置に取り付けるようにしたものである。
【００２９】
このように構成すると、面板３の裏面側のみにおいて裏面部材４を面板３に、フランジ等を介在させずに直接取り付けることができるので、面板３に表側部材や裏側部材を取り付けたり、面板３の裏面にフランジ等を取り付けることが不要となって、丹精な外観を保ち、かつ組立工数や部品点数の削減を図りつつ、機能部であるメール投函口Ｓを有効に構成することが可能となる。
【００３０】
その際、突起部３４は溶接等により面板３の裏面に取り付けることも可能であるが、本実施形態では面板３の一部を開口部３２の内縁から裏面側に折り曲げることによって形成しているので、突起部３４を設けるにあたって別途の部品や工数を不要にし、溶接痕等の心配もなく面板３の外観をより適正な状態に維持しつつ、裏面部材４を面板３により簡単、適切に取り付ける構造を実現することができる。
【００３１】
その突起部３４を設けるに際しても、開口部３２の内縁に裏面側への折り曲げ片３３をほぼ周回状に形成し、その折り曲げ片３３の一部に前記突起部３４を更に裏面側に突出させて設けているので、面板３を打ち抜いた際の切り口が開口縁に位置することがなく、投函物等を傷つけないために面取り加工を施す必要もない。しかも、その折り曲げ片３３の一部に更に突起部３４を設けるようにしているため、折り曲げ片３３と突起部３４とを同時に形成することができ、加工効率を更に高めることができる。
【００３２】
また、上記裏面部材４に、前記折り曲げ片３３を受容する溝４４と、その溝底にあって前記突起部３４を差し込んで係り合わせるための被係り合い部たるスリット４５とを設けているので、折り曲げ片３３を溝４４に受容して折り曲げ片３３のエッジを隠蔽することができ、同時に面板３と裏面部材４との密着度を高め、裏面部材４の上下左右の位置決めもなして、取付状態を確実ならしめることができる。また、突起部３４を溝底のスリット４５に差し込むようにしているため、折り曲げ片３３を溝４４に受容するに伴って突起部３４を利用した面板３と裏面部材４との係り合い部Ｚも一連の操作で無理なく簡単に実現することができ、取付操作が極めて簡便となる。
【００３３】
さらに、突起部３４の首部３４ａや拡開部３４ｂに変形可能部としての機能を付与し、この変形可能部の変形を利用して、突起部３４と被係り合い部であるスリット４５との間に、面板３からの裏面部材４の抜脱を規制する規制部Ｂを構成しているので、別途に規制部を構成する必要がなく、この点においても工数および部品点数の削減を図ることができるとともに、規制を掛ける操作も極めて簡単に行うことができる。
【００３４】
また、裏面部材４は、内周壁４１ａ、４１ｂを備えた枠体状をなすものであり、面板３への取付状態でその内周壁４１ａ、４１ｂを前記面板３の開口部３２の内奥に連続する位置に位置づけているので、この内周壁４１ａ、４１ｂによって面板３の見かけ上の厚みを増大させて蓋体である扉２の開口部３２の周辺に質感をもたせることができる。また、機能部であるメール投函口Ｓにおいては、かかる内周壁４１ａ、４１ｂをメールを投函する際に投函方向を誘導するガイドとしても有効に機能することとなる。
【００３５】
さらにまた、裏面部材４に、機能部の機能を妨げない状態で突起部３４及び係り合い部たるスリット４５を被覆するカバー部材５を更に取り付けているので、扉２を開けた際の裏面側の見え掛かりを良好に保つことができる。しかも、裏面部材４に対してカバー部材５を取り付けるようにすれば、取付しろを面板３に作り込む必要がないため、面板３への加工をさらに最小限に抑えることができる。
【００３６】
そして、本実施形態の収納家具は、上記の扉２を収納空間を開閉する位置に取り付けて構成しているので、オフィス等に大量に導入するに際して、品質良好にして製造コストや納期等を有効に短縮する効果が期待できるものとなる。
【００３７】
なお、各部の具体的な構成は、上述した実施形態のみに限定されるものではない。
【００３８】
例えば、本発明は上述したように、突起部を面板に溶接等によって取り付ける構成を妨げるものではない。
【００３９】
また、突起部に一時的に弾性変形が可能な変形可能部としての機能を付与し、この突起部によって裏面部材の被係り合い部に抜脱を規制する状態で係り合わせるようにしてもよいし、突起部の一部に穴を設け、裏面部材の被係り合い部に樹脂バネ等による爪を設けて、この爪を突起部の穴に抜脱を規制する状態で係り合わせるように構成することもできる。
【００４０】
さらに、開口部に裏面部材として把手など他の部材を取り付ける際にも本発明を有効利用することができる。
【００４１】
その他、開閉装置が引出装置である場合に蓋体である鏡板に本発明を適用するなど、本発明の趣旨を逸脱しない範囲で種々変形が可能である。
【図面の簡単な説明】
【００４２】
【図１】本発明の一実施形態に係る収納家具の斜視図。
【図２】同実施形態の扉を正面側から示す斜視図。
【図３】扉の裏面側において面板に裏面部材を取り付ける様子を示す斜視図。
【図４】扉の裏面側において裏面部材にカバー部材を取り付ける様子を示す斜視図。
【図５】扉の裏面側において裏面部材にカバー部材を取り付けた状態を示す斜視図。
【図６】裏面部材の構成説明図。
【図７】カバー部材の構成説明図。
【図８】図３に対応した要部断面図。
【図９】図４に対応した要部断面図。
【図１０】突起部と被係り合い部との間に規制部を構成する様子を示す部分拡大斜視図。
【図１１】図５に対応した要部断面図。
【符号の説明】
【００４３】
２…蓋体（扉）
３…面板
４…裏面部材
５…カバー部材
３２…開口部
３４…突起部
３４ａ、３４ｂ…変形可能部
４１ａ、４１ｂ…内周壁
４４…溝
４５…被係り合い部（スリット）
Ａ…収納家具
Ｂ…規制部
Ｓ…機能部（メール投函口）
【図１】
2010046264.tif 000003
【図２】
2010046264.tif 000004
【図３】
2010046264.tif 000005
【図４】
2010046264.tif 000006
【図５】
2010046264.tif 000007
【図６】
2010046264.tif 000008
【図７】
2010046264.tif 000009
【図８】
2010046264.tif 000010
【図９】
2010046264.tif 000011
【図１０】
2010046264.tif 000012
【図１１】
2010046264.tif 000013